(57)【要約】【課題】本発明は、ボール座を有するボールペンチップにおいて、ボールへのインキ供給量の多いボールペンチップを簡単な構造で提供する。【解決手段】チップ本体に、ボール抱持室の底壁の中央に形成したインキ流通孔と、該インキ流通孔から放射状に延び、後部孔に達しない複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通孔に、前記インキ流通溝及び前記後部孔に連通する、前記インキ流通溝よりも周方向での幅が小さい通溝を設けたことを特徴とする。【選択図】      図１
2012091391.tif 000002
【特許請求の範囲】
【請求項１】
チップ本体に、ボール抱持室の底壁の中央に形成したインキ流通孔と、該インキ流通孔から放射状に延び、後部孔に達しない複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通孔に、前記インキ流通溝及び前記後部孔に連通する、前記インキ流通溝よりも周方向での幅が小さい通溝を設けたことを特徴とするボールペンチップ。
【請求項２】
前記インキ流通溝の周方向の幅が、後方に向かって徐々に縮小することを特徴とする請求項１に記載のボールペンチップ。
【発明の詳細な説明】
【技術分野】
【０００１】
本発明は、チップ本体に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップに関する。
【背景技術】
【０００２】
従来から、ボール抱持室の底壁の中央に、インキ流通孔に連通するインキ流通溝を有するボールペンチップはよく知られている。こうしたボールペンチップにおいて、実開平６−５３１８５号公報「ボールペン」のように、インキ流通孔から放射状に延び、チップ後端部の内孔に達するインキ流通溝や、実開平７−３１３８２号公報「ボールペン」のように、インキ流通孔から放射状に延び、チップ後端部の内孔に達しないタイプのインキ流通溝もよく知られている。
【０００３】
また、インキ流通孔の大きさや特開２００１−２０５９６８号公報「ボールペンチップ」のように、インキ流通溝の大きさ、特に開口面積は、ボールへのインキ供給量を多くするために、数多く提案されている。
【０００４】
さらに、従来のボールペンチップにおいて、特開２０００−７１６７２号公報「ボールペンチップ」のように、ボール抱持室の底壁に、ボールと略同形のボール座を設け、耐摩耗性等、高荷重での性能を向上してなるボールペンチップも、数多く提案されている。
【先行技術文献】
【特許文献】
【０００５】
【特許文献１】実開平６−５３１８５号公報
【特許文献２】実開平７−３１３８２号公報
【特許文献３】特開２００１−２０５９６８号公報
【特許文献４】特開２０００−７１６７２号公報
【発明の概要】
【発明が解決しようとする課題】
【０００６】
しかし、特許文献３等、インキ供給量を多くする等を目的とし、インキ流通溝の開口面積を大きくすることで、ボールへのインキ供給量は多くなるが、インキ流通溝までのインキ流れをスムーズにするものではない。
【０００７】
また、インキ流通孔の径を大きくすることで、インキ流通溝までのインキ流れをスムーズにすることも考えられるが、ボール座の面積の減少等、新たな課題が発生する問題があった。
【０００８】
また、特許文献１は、チップの後部孔から直接、インキ流通溝にインキが供給されるため好ましいが、製造時においてツールに付加が大きく、ツール寿命が短いという問題があるため、特許文献２のように、チップの後端孔に達しないタイプのインキ流通溝のほうが製造コストを抑えることができる。
【０００９】
本発明はこれらの従来技術に鑑みてなされたものであって、ボール座を有するボールペンチップにおいて、ボールへのインキ供給量の多いボールペンチップを簡単な構造で提供することにある。
【課題を解決するための手段】
【００１０】
本発明は、チップ本体に、ボール抱持室の底壁の中央に形成したインキ流通孔と、該インキ流通孔から放射状に延び、後部孔に達しない複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通孔に、前記インキ流通溝及び前記後部孔に連通する、前記インキ流通溝よりも周方向での幅が小さい通溝を設けたことを特徴とする。
【００１１】
また、前記インキ流通溝の周方向の幅が、後方に向かって徐々に縮小することを特徴とする。
【００１２】
本願発明の請求項１の構成によれば、前記インキ流通孔に、前記インキ流通溝及び前記後部孔に連通する、前記インキ流通溝よりも幅の小さい通溝を設けているため、ボールペン用インキを、後部孔からインキ流通孔及び通溝を通じてインキ流通溝にスムーズに供給することができる。
【００１３】
また、前記通溝が、前記インキ流通溝よりも、周方向において幅を小さくしているため、後部孔から、毛細管作用の働きにより、後部孔から通溝にインキを供給しやすくすることができる。
【００１４】
本願発明の請求項２の構成によれば、前記インキ流通溝の周方向の幅が、後方に向かって徐々に縮小しているため、インキ流通溝を形成することで低下するチップ本体の強度低下を抑えることができ、同体積のインキ流通溝に比べ、ボールペンチップの底壁側の開口面積を大きくでき、ボールペン用インキを供給しやすくする。
【００１５】
尚、本発明のボールペンチップは、ステンレス、アルミニウム、黄銅等の金属製を用いることが最も好ましい。
【００１６】
また、インキ流通溝の数や大きさも、特に限定されるものではない。また、インキ流通溝は、後部孔に達しない形状としているため、加工ツールの寿命や高筆圧性能を向上することができる。
【発明の効果】
【００１７】
本発明は、ボール座を有するボールペンチップにおいて、ボールへのインキ供給量の多いボールペンチップを簡単な構造で提供することができた。
【図面の簡単な説明】
【００１８】
【図１】実施例１のボールペンチップの一部省略した要部拡大縦断面図である。
【図２】図１におけるボール座形成前の状態を示す図である。
【図３】図１におけるボールを省略したＡ−Ａ断面図である。
【図４】実施例１のボールペンチップを用いたボールペンレフィルを示す図である。
【発明を実施するための形態】
【実施例１】
【００１９】
図１から図３に示す実施例１のボールペンチップ１は、ステンレス鋼線材からなるチップ本体２のボール抱持室３の中央にインキ流通孔７と、このインキ流通孔７から放射状に延び、チップ後部孔９に達しないインキ流通溝６を形成した底壁４に、φ０．７ｍｍのタングステンカーバイド製のボール１０を載置し、チップ先端部２ａを内側にかしめことにより、ボール１０の一部がチップ先端縁より突出するように回転自在に抱持する。
【００２０】
ボールペンチップ１は、φ２．３ｍｍ、硬度が２３０Ｈｖ〜２８０Ｈｖのステンレス鋼線材を所望の長さに切断し、ボール抱持室３、インキ流通孔７と、インキ流通孔７から放射状に伸びるインキ流通溝６を作製後、ボール抱持室の底壁４に、ボール１０と略同形のボール座５を形成してある。
【００２１】
インキ流通溝６は、インキ流通孔７から、適宜間隔を設けて放射状に４本形成してある。また、インキ流通孔７には、インキ流通溝６及び後部孔９に連通する通溝８を設けてあり、インキ流通溝６の周方向の幅は、開口部の幅Ｌからインキ流通溝６の後部孔側の幅Ｍへ、後方に向かって徐々に小さくしてある。また、通溝８の周方向の幅Ｊは、インキ流通溝６の後部孔８側の幅Ｍよりも小さくしてある。さらに、通溝８の径方向の深さＫは、インキ流通溝の径方向の深さＮよりも浅くしてある。
【００２２】
図４に示すのは、本発明のボールペンチップ１をボールペンレフィル１１として用いた例である。具体的には、インキ収容筒１２の先端部に、実施例１のボールペンチップ１を装着してある。インキ収容筒１２内には、剪断減粘性を付与した水性のボールペン用インキ１４と、グリース状のインキ追従体１５を収容してある。
【００２３】
このボールペンレフィル１１を用いて紙面に筆記すると、インキ収容筒１２にあるボールペンインキ１４は、ボールペンチップ１の後部孔９からインキ流通孔７、通溝８、インキ流通溝６を通じてボール１０及びボール抱持室３に供給される。ボール１０及びボール抱持室３に供給されたボールペンインキ１４は、筆圧によって、ボール１０を押圧するコイルスプリング１３の押圧力に抗じて、ボール１０とチップ本体２の先端部の内壁に隙間を形成し、この隙間から紙面に流出して筆記することができる。
【００２４】
また、ボールペン用インキ１４のインキ流通溝７までの流れを詳述すると、ボールペンチップ１の後部孔９からインキ流通孔７及び通溝８を通じてインキ流通溝６に達する。このとき、通溝８は周方向の幅Ｊ及び径方向の深さＫを小さくしてあるため、毛細管作用によって、ボールペン用インキが流れやすくしてあるため、通溝８に連通するインキ流通溝６にスムーズにボールペン用インキ１４を供給することができる。さらに、通溝８を形成することで、インキ流通孔７径を大きくする必要がなく、ボール座５の面積を確保することもできる。
【００２５】
尚、通溝８は、予めインキ流通孔７に形成した後、形成してもよいし、インキ流通溝６を形成後に、インキ流通溝７を形成することによって、後部孔９側の壁に生じる、インキ流通孔７側に向かって突出する肉盛り部（図示せず）を除去する工程と同時に形成してもよい。
【００２６】
また、インキ流通孔径は、特に限定されるものではなく、インキ粘度やインキ消費量に応じて、適宜選択することができるが、ボール径の４０％〜６０％とすることが好ましい。また、ボール座の面積も特に限定されるものではなく、書き味や耐磨耗性を考慮して、ボール表面積の１０〜２０％とすることが好ましい。
【産業上の利用可能性】
【００２７】
本発明のボールペンチップは、使用するインキに限定されることなく使用可能で、油性ボールペン用インキや水性ボールペン用インキ、剪断減粘性を付与したインキ、修正用インキなど、インキの種類に関わらず使用することができるため、ボールを筆記媒体とするボールペンチップとして広く利用可能であり、特に毛細管現象が生じる水性インキを用いたボールペンチップに効果的に用いることができる。
【符号の説明】
【００２８】
１  ボールペンチップ
２  チップ本体
２ａ  先端部
３  ボール抱持室
４  底壁
５  ボール座
６  インキ流通溝
７  インキ流通孔
８  通溝
９  後部孔
１０  ボール
Ｌ、Ｍ  インキ流通溝の周方向の幅
Ｊ  通溝の周方向の幅
【図１】
2012091391.tif 000003
【図２】
2012091391.tif 000004
【図３】
2012091391.tif 000005
【図４】
2012091391.tif 000006